(57)【要約】【課題】集塵能力を維持できるフィルタの再生システムを提供する。【解決手段】本発明の一形態に係るフィルタの再生システム２は、防塵装置１に用いられるフィルタの再生システムであって、ダクト１１の両側に配置されるローラ２２と、ローラ２２に渡され、ローラ２２に倣って移動する帯状のフィルタ２１と、フィルタ２１に付着した塵埃をフィルタ２１に接着させる接着部２４と、接着部２４よりフィルタ２１の移動方向側に配置され、塵埃が接着されたフィルタ２１に通気孔２１ａを形成する孔形成部２５と、を備える。【選択図】図１
2012106196.tif 000002
【特許請求の範囲】
【請求項１】
防塵装置に用いられるフィルタの再生システムであって、
ダクトの両側に配置されるローラと、
前記ローラに渡され、前記ローラに倣って移動する帯状のフィルタと、
前記フィルタに付着した塵埃を前記フィルタに接着させる接着部と、
前記接着部より前記フィルタの移動方向側に配置され、塵埃が接着された前記フィルタに通気孔を形成する孔形成部と、
を備えるフィルタの再生システム。
【請求項２】
前記ダクトと前記接着部との間に配置され、塵埃が付着した前記フィルタを挟み込んで圧縮する圧縮部を備える請求項１に記載のフィルタの再生システム。
【請求項３】
前記接着部は、
塵埃が付着した前記フィルタに、塵埃を前記フィルタに接着させる接着部材を付着させる付着部と、
前記接着部材を硬化させる硬化部と、
を備える請求項１又は２に記載のフィルタの再生システム。
【請求項４】
前記フィルタは無端フィルタである請求項１乃至３のいずれか１項に記載のフィルタの再生システム。
【請求項５】
請求項１乃至４のいずれか１項に記載のフィルタの再生システムを備える防塵装置。
【請求項６】
防塵装置に用いられるフィルタの再生方法であって、
ダクトを挟んで両側のローラに渡された帯状のフィルタを移動させる工程と、
前記フィルタに付着した塵埃を前記フィルタに接着させる工程と、
塵埃が接着された前記フィルタに通気孔を形成する工程と、
を備えるフィルタの再生方法。
【請求項７】
塵埃を前記フィルタに接着させる工程の前に、塵埃が付着した前記フィルタを挟み込んで圧縮する工程を備える請求項６に記載のフィルタの再生方法
【請求項８】
塵埃を前記フィルタに接着させる工程では、塵埃が付着した前記フィルタに、塵埃を前記フィルタに接着させる接着部材を付着させ、前記接着部材を硬化させる請求項６又は７に記載のフィルタの再生方法。
【発明の詳細な説明】
【技術分野】
【０００１】
本発明は、フィルタの再生システム及び再生方法、防塵装置に関する。
【背景技術】
【０００２】
塵埃を嫌う施設の換気口に防塵装置が設けられることが多い。このような防塵装置は、フィルタ能力（集塵能力）が低下しないように、フィルタの目詰まりを防ぐことが重要であり、例えば特許文献１及び２の技術が存在する。
【０００３】
特許文献１の技術は、ダクトに対してフィルタを循環させる構成であって、フィルタを循環させる際に、付着した塵埃をエアーで飛ばし、当該フィルタを洗浄し、乾燥させる工程を繰り返すことで、フィルタの目詰まりを防いでいる。
【０００４】
特許文献２の技術は、ダクトに対してフィルタを循環させる構成であって、フィルタを循環させる際に、付着した塵埃を燃焼させることで、フィルタの目詰まりを防いでいる。
【先行技術文献】
【特許文献】
【０００５】
【特許文献１】特開２００１−１２９３３２号公報
【特許文献２】特開２００２−３１０４２５号公報
【発明の概要】
【発明が解決しようとする課題】
【０００６】
特許文献１及び２の技術は、フィルタに付着した塵埃を除去しきれない場合があり、そのような場合に集塵能力が低下する可能性がある。
【０００７】
本発明の目的は、上述した課題を解決するフィルタの再生システム及び再生方法、防塵装置を提供することにある。
【課題を解決するための手段】
【０００８】
本発明の一形態に係るフィルタの再生システムは、防塵装置に用いられるフィルタの再生システムであって、ダクトの両側に配置されるローラと、前記ローラに渡され、前記ローラに倣って移動する帯状のフィルタと、前記フィルタに付着した塵埃を前記フィルタに接着させる接着部と、前記接着部より前記フィルタの移動方向側に配置され、塵埃が接着された前記フィルタに通気孔を形成する孔形成部と、を備える。
本発明の一形態に係る防塵装置は、上述のフィルタの再生システムを備える。
【０００９】
本発明の一形態に係るフィルタの再生方法は、防塵装置に用いられるフィルタの再生方法であって、ダクトを挟んで両側のローラに渡された帯状のフィルタを移動させる工程と、前記フィルタに付着した塵埃を前記フィルタに接着させる工程と、塵埃が接着された前記フィルタに通気孔を形成する工程と、を備える。
【発明の効果】
【００１０】
本発明によれば、集塵能力を維持できるフィルタの再生システム及び再生方法、防塵装置を提供することができる。
【図面の簡単な説明】
【００１１】
【図１】本発明の実施の形態に係る防塵装置を概略的に示す平面図である。
【図２】本発明の実施の形態に係る防塵装置を概略的に示す正面図である。
【図３】本発明の実施の形態に係るフィルタの再生システムにおける、孔形成部を概略的に示す平面図である。
【図４】本発明の実施の形態に係るフィルタの再生システムにおける、孔形成部を概略的に示す正面図である。
【発明を実施するための形態】
【００１２】
本発明の実施の形態に係るフィルタの再生システム及び再生方法、防塵装置について説明する。但し、本発明が以下の実施の形態に限定される訳ではない。また、説明を明確にするため、以下の記載及び図面は、適宜、簡略化されている。
【００１３】
図１及び図２に示す防塵装置１は、例えば図示を省略したクリーンルームや原子力使用施設等の塵埃を嫌う施設において好適に用いられ、フィルタの再生システム（以下、単に再生システムと省略する場合がある。）２を備える。本実施の形態の再生システム２は、防塵装置１のダクト１１に対してフィルタ２１が矢印Ａ方向に循環する構成とされており、フィルタ２１におけるダクト１１の開口部１１ａ内に配置された領域を、塵埃が付着した状態で圧縮し、フィルタ２１に塵埃を接着させて乾燥した後に、通気孔を形成してフィルタとして再生させる構成である。
【００１４】
具体的に云うと、再生システム２は、図１に示すように、ローラ２２の他に、ダクト１１に対してフィルタ２１の循環（移動）方向（矢印Ａ方向）から順に、圧縮部２３、接着部２４、孔形成部２５を備えている。
【００１５】
ローラ２２は、図１に示すように、ダクト１１の両側に間隔を開けて配置されている。両側のローラ２２には、平面から見て環状のフィルタ２１が渡されている。ローラ２２の高さＨ１は、図２に示すように、フィルタ２１の幅寸法（高さ）より高く設定されている。ローラ２２の直径Ｒは、フィルタ２１の裏面から良好に上述した各処理を行うために、例えば圧縮部２３の構成要素であるローラ２３ａをフィルタ２１内に配置することができるように設定されている。
【００１６】
ローラ２２の上下端部は、例えば防塵装置１の筐体（図示を省略）に回転可能に連結される。これらのローラ２２の少なくとも一方のローラ２２は、モータ等の駆動装置（図示を省略）によって、回転駆動力が与えられる構成とされている。
【００１７】
フィルタ２１は、通気孔を有する帯状部材の端部同士が接合された環状の無端体である。フィルタ２１は、例えば一般的にフィルタとして用いられる、通気孔を有する繊維部材で構成することができる。但し、フィルタ２１は、通気孔を有し、且つローラ２２の外周形状に追従可能な柔軟性を有する部材であれば特に限定しない。
【００１８】
フィルタ２１は、間隔を開けて配置されたローラ２２に、張った状態で渡されている。そして、フィルタ２１は、例えば駆動装置によって回転駆動力が与えられたローラ２２との摩擦力によって、当該回転駆動力が伝達され、矢印Ａ方向に循環する。なお、フィルタ２１の循環動作は、間欠的でも、連続的でも良い。ローラ２２の外周に歯車を形成し、フィルタ２１に当該歯車の歯が嵌合される嵌合孔を形成し、駆動装置の回転駆動力がローラ２２からフィルタ２１に確実に伝達することができる構成としても良い。
【００１９】
防塵装置１のダクト１１は、図１に示すように、フィルタ２１を挟んで、塵埃を含んだ空気３が侵入する側と、塵埃が除去された空気４が排出される側とに配置される。そして、ダクト１１の開口部１１ａは、図２に示すように、フィルタ２１が配置されている領域内に配置される。これにより、ダクト１１から侵入する空気３はフィルタ２１を通過し、空気３中の塵埃がフィルタ２１に付着する。そのため、施設内には、塵埃が除去された空気４が排出される。
【００２０】
圧縮部２３は、図１に示すように、ダクト１１に対してフィルタ２１の循環方向側であって、且つフィルタ２１におけるダクト１１の開口部１１ａ内に配置された領域が、上述した処理のうち最初に圧縮処理が行われるように配置されている。圧縮部２３は、例えば一組のローラ２３ａを備えている。一組のローラ２３ａは、フィルタ２１を挟み込むように配置されている。ローラ２３ａの高さＨ２は、図２に示すように、フィルタ２１の幅寸法（高さ）より高く設定されている。ローラ２３ａの間隔は、フィルタ２１に付着した塵埃を所定の厚さに圧縮することができるように設定されている。ローラ２３ａの上下の端部は、例えば防塵装置１の筐体に回転可能に連結される。これにより、フィルタ２１に付着した塵埃は、確実にフィルタ２１に付着する。
【００２１】
接着部２４は、塗布部（付着部）２６、硬化部２７を備えている。塗布部２６は、図１に示すように、圧縮部２３よりフィルタ２１の循環方向側に配置されている。塗布部２６は、塵埃をフィルタ２１に接着する接着剤を、圧縮処理済みのフィルタ２１に塗布する（吹き付ける（付着させる））。接着剤としては、例えば熱硬化性樹脂や光硬化性樹脂等のアクリル樹脂を用いることができる。但し、接着剤は、塵埃をフィルタ２１に良好に接着することができる材質のものであれば良い。
【００２２】
塗布部２６は、上下方向に間隔を開け、フィルタ２１の幅寸法の全領域に接着剤を吹き付けることができるように、スプレーノズル群２６ａを備えている。このスプレーノズル群２６ａは、フィルタ２１を挟み込むように少なくとも一組配置されている。スプレーノズルには、接着剤が充填されたタンクからポンプ等の圧送装置によって当該接着剤が供給される（図示を省略）。接着剤は、スプレーノズルから間欠的に、又は連続的にフィルタ２１に吹き付けられる。すなわち、フィルタ２１が連続的に循環する場合は、塗布部２６は接着剤を連続的にフィルタ２１に吹き付ける。一方、フィルタ２１が間欠的に循環する場合は、塗布部２６は当該フィルタ２１の間欠移動に対応するように接着剤を間欠的にフィルタ２１に吹き付ける。どちらにしても、フィルタ２１が移動している最中は、塗布部２６はフィルタ２１に接着剤を吹き付けるので、フィルタ２１の移動領域（例えば、フィルタ２１における圧縮処理が済んだ領域）に対しては良好に接着剤が吹き付けられる。吹き付けられた接着剤は、塵埃及びフィルタ２１に浸透する。
【００２３】
硬化部２７は、図１に示すように、塗布部２６よりフィルタ２１の循環方向側に配置されている。硬化部２７は、移動するフィルタ２１に吹き付けられた接着剤を硬化させる。すなわち、硬化部２７は、接着剤として熱硬化性樹脂を用いている場合は、例えば上下方向に間隔を開けて、フィルタ２１の幅寸法の全領域に、当該熱硬化性樹脂を硬化させるのに十分な熱を供給することができるように、熱源群（例えば、ヒータ等）２７ａを備える。一方、硬化部２７は、接着剤として光硬化性樹脂を用いている場合は、例えば上下方向に間隔を開けて、フィルタ２１の幅寸法の全領域に、当該光硬化性樹脂を硬化させるのに十分な紫外線を供給することができるように、図示を省略した光源群（例えば、ＵＶランプ等）を備える。このような熱源群２７ａ又は光源群は、フィルタ２１を挟み込むように少なくとも一組配置されている。これにより、接着部２４は、圧縮された塵埃をフィルタ２１に接着することができる。つまり、図３に示すように、フィルタ２１には、接着された塵埃からなる塵埃層５が形成される。
【００２４】
孔形成部２５は、図１に示すように、硬化部２７よりフィルタ２１の循環方向側に配置されている。孔形成部２５は、移動する、塵埃が接着されたフィルタ２１に対して通気孔を形成する。詳細には、孔形成部２５は、図３及び図４に示すように、円柱部材２５ａにおける外周の略全領域に複数の突出部２５ｂが形成されたローラ２５ｃを備えている。ローラ２５ｃは、図３に示すように、フィルタ２１を挟んで両側に配置されている。そして、これらのローラ２５ｃは、相互にフィルタ２１の延在方向にずらして配置されている。
【００２５】
円柱部材２５ａの高さＨ３は、図４に示すように、フィルタ２１の幅寸法（高さ）より高く設定されている。円柱部材２５ａの上下の端部は、例えば防塵装置１の筐体に回転可能に連結される。なお、円柱部材２５ａは、図示を省略した駆動装置によって回転駆動する構成でも、突出部２５ｂがフィルタ２１に差し込まれることで当該フィルタ２１の移動に倣うように回転する構成でも、どちらでも良い。
【００２６】
突出部２５ｂは、塵埃が接着されたフィルタ２１に差し込まれる。突出部２５ｂは、円柱部材２５ａの外周に規則的に又は不規則に設けられている。突出部２５ｂは、先端が尖った形状とされており、本実施の形態では円錐形状（但し、多角錐でも良い。）とされている。このとき、突出部２５ｂの形状は、形成した通気孔２１ａから塵埃が通過しないように設定される。
【００２７】
突出部２５ｂの長さ（高さ）は、塵埃が接着されたフィルタ２１を略貫通するように設定されている。但し、突出部２５ｂの長さは、塵埃層５及びフィルタ２１の厚さを考慮して、好適に設定される。
【００２８】
突出部２５ｂは、塵埃が接着されたフィルタ２１に差し込まれたときに、損傷しない強度を有する。突出部２５ｂは、例えば金属製、樹脂製である。突出部２５ｂを樹脂製とする場合は、円柱部材２５ａと一体的に成形することができる。
要するに、突出部２５ｂは、通気孔２１ａが形成されて再生されたフィルタ２１が良好にフィルタとして機能することができるように、配置、形状、材質、個数等が設定される。
【００２９】
このような構成の再生システム２を用いて、例えば以下のようにフィルタの再生方法は実現される。
先ず、駆動装置によってローラ２２を回転駆動させてフィルタ２１を矢印Ａ方向に循環させる。これにより、圧縮部２３のローラ２３ａは、フィルタ２１におけるダクト１１の開口部１１ａ内に配置されていた領域、即ちフィルタ２１における塵埃が付着した領域を順次、圧縮しつつ、接着部２４に送り出す。
【００３０】
接着部２４の塗布部２６は、順次送り込まれる、フィルタ２１における塵埃が付着した領域に接着剤を塗布する。フィルタ２１における接着剤が塗布された領域は、順次、接着部２４の硬化部２７に送り出される。硬化部２７は、順次送り込まれる、フィルタ２１における接着剤が塗布された領域に熱又は光を与え、接着剤を硬化させる。これにより、フィルタ２１に圧縮された塵埃が接着され、フィルタ２１に塵埃層５が形成される。フィルタ２１における塵埃が接着された領域は、順次、孔形成部２５に送り出される。
【００３１】
孔形成部２５は、順次送り込まれる、フィルタ２１における塵埃が接着された領域に、通気孔２１ａを形成して送り出す。これにより、フィルタ２１における通気孔２１ａが形成された領域は、再びフィルタとして機能するように再生されることになる。
上述の工程を例えば所定の時間毎に繰り返すことで、フィルタ２１における通気孔２１ａが形成された領域、即ちフィルタ２１の再生された領域は、順次ダクト１１の開口部１１ａ内に配置される。
【００３２】
このようなフィルタの再生システム及び再生方法、防塵装置は、塵埃が付着したフィルタ２１に当該塵埃を接着し、塵埃を接着した状態で、通気孔２１ａを形成するので、再びフィルタとして機能するように再生することができる。そのため、フィルタ２１の集塵能力を維持することができる。しかも、フィルタ２１を継続的に再生することができるので、フィルタ２１の交換が殆ど必要なく、人為的作業（例えば、フィルタ交換等）を軽減したい施設で良好に採用することができる。
また、フィルタ２１に塵埃が接着されて全体として厚さが増すので、集塵能力の向上が期待できる。
【００３３】
本発明は上記実施の形態に限られたものではなく、趣旨を逸脱しない範囲で適宜変更することが可能である。
例えば、上記実施の形態では、塵埃を含んだ空気３が侵入する側のダクト１１に対するフィルタ２１の循環方向と、塵埃が除去された空気４が排出される側のダクト１１に対するフィルタ２１の循環方向との両側に、圧縮部２３、接着部２４、孔形成部２５を配置しているが、少なくとも、塵埃を含んだ空気３が侵入する側のダクト１１に対してフィルタ２１の循環方向に、圧縮部２３、接着部２４、孔形成部２５が配置されていれば良い。
【００３４】
例えば、上記実施の形態では、接着剤によって塵埃をフィルタ２１に接着しているが、紫外線硬化フィルム等を塵埃が付着したフィルタ２１に貼り付け、その後、光源によって紫外線を照射して紫外線硬化フィルムを硬化させることで、塵埃をフィルタ２１に接着しても良い。
例えば、上記実施の形態では、圧縮部２３、接着部２４、孔形成部２５を配置したが、圧縮部２３を省略しても良い。
例えば、上記実施の形態では、環状のフィルタ２１を用いているが、この限りでない。すなわち、両端部を有する帯状のフィルタを用いることもできる。この場合、予め一方側のローラ２２にフィルタを巻き付けておき、順次、フィルタを再生する度に、他方側のローラ２２にフィルタを巻き付ける。これを両側のローラで繰り返すことで、フィルタを常に再生した状態で用いることができる。
【符号の説明】
【００３５】
１  防塵装置
２  再生システム
３  塵埃を含んだ空気
４  塵埃が除去された空気
１１  ダクト、１１ａ  開口部
２１  フィルタ、２１ａ  通気孔
２２  ローラ
２３  圧縮部、２３ａ  ローラ
２４  接着部
２５  孔形成部、２５ａ  円柱部材、２５ｂ  突出部
２５ｃ    ローラ
２６  塗布部、２６ａ  スプレーノズル群
２７  硬化部、２７ａ  熱源群
【図１】
2012106196.tif 000003
【図２】
2012106196.tif 000004
【図３】
2012106196.tif 000005
【図４】
2012106196.tif 000006